(57)【要約】【課題】この発明は、ユーザにとって見易い形態であって、しかも、多くの情報を効率良く含めた電子番組表を作成して、画面に映像表示させることを可能とした放送受信装置を提供することを目的としている。【解決手段】番組情報を取得する取得手段６８と、取得した番組情報に基づいて、各番組を示す文字及びその文字の先頭部分にその番組の開始分を表示するための分表示アイコンを表示させるとともに、番組の時間帯を区切るための枠線を表示する情報の存在しない電子番組表を作成する作成手段６９と、作成された電子番組表を表示する表示手段１４とを備える。【選択図】      図４
2006050011.tif 000002
【特許請求の範囲】
【請求項１】
番組情報を取得する取得手段と、
前記取得手段で取得した番組情報に基づいて、各番組を示す文字及びその文字の先頭部分にその番組の開始分を表示するための分表示アイコンを表示させるとともに、番組の時間帯を区切るための枠線を表示する情報の存在しない電子番組表を作成する作成手段と、
前記作成手段で作成された電子番組表を表示する表示手段とを具備することを特徴とする放送受信装置。
【請求項２】
前記作成手段は、前記分表示アイコンを番組のジャンル毎に色分けして表示させることを特徴とする請求項１記載の放送受信装置。
【請求項３】
操作により番組のジャンルと色とを対応させて設定するための設定手段を具備し、
前記作成手段は、所定のジャンルの番組に対応する前記分表示アイコンを、前記設定手段で設定された色で表示させることを特徴とする請求項１記載の放送受信装置。
【請求項４】
前記作成手段は、入力されたお好み情報に基づいて検索された番組に対応する前記分表示アイコンを、予め設定されたお好み番組用の色で表示させることを特徴とする請求項１記載の放送受信装置。
【請求項５】
前記作成手段は、
所定のジャンルの番組に対応する前記分表示アイコンを、予め操作により番組のジャンルに対応させて設定された色で表示させるとともに、入力されたお好み情報に基づいて検索された番組に対応する前記分表示アイコンを、予め設定されたお好み番組用の色で表示させることが可能であり、
同じ番組に対応する前記分表示アイコンに対して、ジャンルに基づく色表示とお好み番組に基づく色表示とが重なった場合には、お好み番組に基づく色表示を優先させることを特徴とする請求項１記載の放送受信装置。
【請求項６】
前記作成手段は、前記電子番組表を、その時間軸方向に沿って、前記分表示アイコンの表示される列と、番組を示す文字が記述される列とに分割して表示させることを特徴とする請求項１記載の放送受信装置。
【請求項７】
前記作成手段は、前記電子番組表の前記分表示アイコンの表示される列内に、短時間番組の存在を示すマークを表示させることを特徴とする請求項６記載の放送受信装置。
【請求項８】
前記作成手段は、時間帯に応じて前記電子番組表の背景色を変えることを特徴とする請求項１記載の放送受信装置。
【請求項９】
前記作成手段は、前記電子番組表の時間軸方向に沿って、それぞれに連続する時間帯が対応付けられた複数の時間領域を表示させ、時間の経過とともに、前記複数の時間領域に対応付けられた時間帯をシフトしていくことを特徴とする請求項１記載の放送受信装置。
【請求項１０】
前記作成手段は、前記複数の時間領域をそれぞれ異なる背景色で表示させ、前記電子番組表の背景色を、各時間領域のうち最も過去の時間帯が対応付けられた時間領域の背景色で表示させることを特徴とする請求項９記載の放送受信装置。
【発明の詳細な説明】
【技術分野】
【０００１】
この発明は、例えばデジタルテレビジョン放送等を受信する放送受信装置に係り、特にその電子番組表の表示機能を改良したものに関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところで、この種のデジタル放送受信装置においては、今後のデジタルテレビジョン放送のますますの普及により、その放送チャンネル数及び番組数等が増加することを見込んで、電子番組表を画面に映像表示させる際に、限られた画面内に多くの情報をユーザが見易い形態で効率良く表示できるように工夫を施すことが重要となる。
【０００５】
特許文献１には、電源オフ時に予めユーザが選択したチャンネルの番組情報を取得し、電源がオンされたとき、取得しておいた番組情報に基づいて番組表を作成し表示させる構成が開示されているが、番組表をユーザに見易い形態で効率良く表示させることについては、何らの記載もなされていないものである。
【特許文献１】特開２００３−１６３８５４号公報
【発明の開示】
【発明が解決しようとする課題】
【０００６】
そこで、この発明は上記事情を考慮してなされたもので、ユーザにとって見易い形態であって、しかも、多くの情報を効率良く含めた電子番組表を作成して、画面に映像表示させることを可能とした放送受信装置を提供することを目的とする。
【課題を解決するための手段】
【０００７】
この発明に係る放送受信装置は、番組情報を取得する取得手段と、取得手段で取得した番組情報に基づいて、各番組を示す文字及びその文字の先頭部分にその番組の開始分を表示するための分表示アイコンを表示させるとともに、番組の時間帯を区切るための枠線を表示する情報の存在しない電子番組表を作成する作成手段と、作成手段で作成された電子番組表を表示する表示手段とを備えるようにしたものである。
【発明の効果】
【０００８】
上記した発明によれば、各番組を示す文字の先頭部分にその番組の開始分を表示するための分表示アイコンを表示させるとともに、番組の時間帯を区切るための枠線を表示する情報の存在しない電子番組表を表示させるようにしたので、ユーザにとって見易い形態であって、しかも、多くの情報を効率良く含めた電子番組表を作成して、画面に映像表示させることを可能とすることができる。
【発明を実施するための最良の形態】
【０００９】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１０】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１１】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１２】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１３】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１４】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１５】
このように、ＬＡＮ対応ＨＤＤ専用ポートとしての第１のＬＡＮ端子２１を設けることによって、他のネットワーク環境やネットワーク使用状況等に影響されることなく、ＨＤＤ２５に対してハイビジョン画質による番組の情報記録を、安定して行なうことが可能となる。
【００１６】
また、第２のＬＡＮ端子２２は、イーサネットを用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１７】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００１８】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００１９】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２０】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２１】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２２】
そして、このチューナ４５で選局された放送信号は、ＰＳＫ（Phase Shift Keying）復調器４６に供給されて、デジタルの映像信号及び音声信号に復調された後、信号処理部４７に出力される。
【００２３】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２４】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２５】
ここで、上記信号処理部４７は、ＰＳＫ復調器４６から供給されたデジタルの映像信号及び音声信号と、ＯＦＤＭ復調器５１から供給されたデジタルの映像信号及び音声信号とに対して、選択的に所定のデジタル信号処理を施し、グラフィック処理部５２及び音声処理部５３に出力している。
【００２６】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００２７】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００２８】
また、上記音声処理部５３は、入力されたデジタルの音声信号を、前記スピーカ１５で再生可能なフォーマットのアナログ音声信号に変換し、スピーカ１５に出力して音声再生させる。
【００２９】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３０】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３１】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３２】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３３】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３４】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３５】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００３６】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００３７】
また、上記制御部５６は、受信した放送信号から番組情報であるＥＰＧ情報を取得するＥＰＧ情報取得部６８と、このＥＰＧ情報取得部６８で取得したＥＰＧ情報に基づいて電子番組表を作成する番組表作成部６９とを備え、この番組表作成部６９で作成した電子番組表を映像表示器１４に表示させることができる。
【００３８】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００３９】
図４は、映像表示器１４に表示された電子番組表の一例を示している。この電子番組表は、リモートコントローラ１７の番組表キー１７ｈを操作することによって表示されるもので、水平方向に６つの放送局（放送チャンネル）を配列し、垂直方向に５時間分の時間枠を配列して、番組を表示している。
【００４０】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を一気に上下左右方向に選択的にスキップさせることが可能である。
【００４１】
ここで、この電子番組表は、６つの放送局（放送チャンネル）に対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００４２】
この場合、例えば、表示欄Ｄ〜Ｆに示すように、同じ放送局が複数（図示の場合は３つ）のチャンネル番号を有する場合には、３つの放送局名表示領域Ｄ２〜Ｆ２が１つの共通の放送局名表示領域として使用される。
【００４３】
また、同じ放送局が複数（図示の場合は３つ）のチャンネル番号でそれぞれ同じ番組を放送する、いわゆるイベント共有が行なわれている時間帯では、３つの番組表示領域Ｄ３〜Ｆ３が１つの共通の番組表示領域として使用される。
【００４４】
さらに、この電子番組表では、その６つの表示欄Ａ〜Ｆの下部に、現在選局している番組のチャンネル番号、タイトル及び放送時間等を示す選局番組表示領域Ｇが設けられる。この場合、現在選局している番組は、表示欄Ａ〜Ｆ内において、ハッチングで囲むことにより表現しているが、その番組の表示領域が他の番組の表示領域と色を変えて表示されている。
【００４５】
また、この電子番組表では、その左右に、上から下に向けて１時間毎の時間枠を示す５つの時間領域Ｈ１〜Ｈ５が設けられている。図４では、各時間領域Ｈ１〜Ｈ５が、それぞれ午前９時〜午後１時に対応している状態を示している。そして、現在時刻が午前１０時になると、各時間領域Ｈ１〜Ｈ５が、それぞれ午前１０時〜午後２時に対応するように切り換えられる。
【００４６】
ここで、上記電子番組表のさらに詳細な内容について説明する。すなわち、各表示欄Ａ〜Ｆの番組表示領域Ａ３〜Ｆ３においては、それぞれ、そこに配列されている番組を時間帯毎に区切るための枠線が表示されていない。
【００４７】
これは、前記番組表作成部６９が、番組の時間帯を区切るための枠線を表示する情報の存在しない電子番組表を作成するからである。これにより、枠線を削除した分だけ表示のためのスペースを広くとることができ、より多くの文字を効率的に記述することができるようになる。
【００４８】
ただし、上記したイベント共有が行なわれている番組と、イベント共有が行なわれていない番組とを区切るための枠線７０は存在する。
【００４９】
そして、各表示欄Ａ〜Ｆの番組表示領域Ａ３〜Ｆ３においては、それぞれ、そこに記述されている各番組を示す文字の先頭部分に、その番組の開始分を表示するための分表示アイコン７１が表示される。このため、各時間領域Ｈ１〜Ｈ５に示された時間枠と分表示アイコン７１とを参照することにより、ユーザは、番組を時間帯毎に区切るための枠線がなくても、各番組の開始時分を容易に把握することができる。
【００５０】
ここで、上記分表示アイコン７１は、その番組の開始分を示す２桁の数字（例えば、００，５０等）を、四角形状の枠の中に白抜きで表現している。そして、この分表示アイコン７１の枠内は、その番組がユーザの設定した検索情報によって検索されたお好み番組であるか否か、または、その番組のジャンルに応じて色分けされている。これにより、ユーザは、分表示アイコン７１の色を見て、その番組がお好み番組であるか否か、または、どのジャンルに属するのかを容易に把握することができる。
【００５１】
すなわち、このデジタルテレビジョン放送受信装置１１は、チャンネル、ジャンル、キーワード等のお好み情報をユーザが入力することにより、入力した時点から１週間先までのお好み情報に対応した番組を自動的に検索することができる。そして、このお好み情報によって検索されたお好み番組が、電子番組表の表示時に分表示アイコン７１の色によって示される。なお、上記した選局番組表示領域Ｇの下部には、お好み番組に対応する分表示アイコン７１の色を示すお好み番組色表示領域Ｉが設けられている。
【００５２】
また、このデジタルテレビジョン放送受信装置１１では、例えば、スポーツ、ニュース、映画等のジャンル別にユーザが色を設定することができるようになっており、電子番組表の表示時に、その番組のジャンルが分表示アイコン７１にユーザの設定した色によって示される。上記した選局番組表示領域Ｇの下部には、スポーツ、ニュース、映画等のジャンルに対応して、ユーザが設定した色を示すための複数のジャンル色表示領域Ｊ１〜Ｊ３が設けられている。
【００５３】
なお、電子番組表に表示された任意の番組が、お好み番組であり、かつ、ユーザが色を設定したジャンルに属している場合には、その番組の分表示アイコン７１が、お好み番組の色を優先して表示されるようになっている。
【００５４】
ここで、ユーザによるジャンル別の色設定について説明する。すなわち、図４に示すような電子番組表が表示されている状態で、リモートコントローラ１７のクイックキー１７ｅが操作されると、図５に示すように、電子番組表に重ねて、クイックメニュー７２が表示される。
【００５５】
このクイックメニュー７２には、「番組表記号一覧」、「文字サイズ変更」、「ジャンル色分け設定」、「番組情報の更新」の４つの項目が表示される。そして、ユーザは、リモートコントローラ１７のカーソルキー１７ｆを操作して「ジャンル色分け設定」の項目を選択し、決定キー１７ｇを操作する。
【００５６】
すると、映像表示器１４には、図６に示すような、ジャンル色分け設定画面が表示される。このジャンル色分け設定画面では、それぞれ異なる色が予め表示された複数（図示の場合は３つ）の色表示領域Ｋ１〜Ｋ３と、これらの色表示領域Ｋ１〜Ｋ３に対応してジャンルを表示するジャンル表示領域Ｌ１〜Ｌ３とが表示される。
【００５７】
このジャンル色分け設定画面が表示されると、ユーザは、まず、リモートコントローラ１７のカーソルキー１７ｆを操作して所望の色が表示された色表示領域（例えばＫ１）を選択し、決定キー１７ｇを操作する。
【００５８】
すると、映像表示器１４には、図７に示すような、ジャンル変更画面が表示される。このジャンル変更画面では、「映画」，「洋画」，「邦画」，……等々を表示した複数のジャンル領域が表示されている。
【００５９】
そして、このジャンル変更画面において、ユーザが、リモートコントローラ１７のカーソルキー１７ｆを操作して所望のジャンル領域（例えば映画）を選択し、決定キー１７ｇを操作する。
【００６０】
すると、映像表示器１４の表示が図６のジャンル色分け設定画面に戻り、色表示領域Ｋ１に対応するジャンル表示領域Ｌ１に「映画」の文字が表示され、ここに、色表示領域Ｋ１に表示された色とジャンル（映画）とが対応付けられることになる。
【００６１】
なお、ジャンル色分け設定画面の色表示領域Ｋ１〜Ｋ３は、リモートコントローラ１７のカーソルキー１７ｆを操作してスクロールさせることにより、４種類以上の色に対応させることができる。
【００６２】
再び、図４に戻って、電子番組表について説明する。すなわち、各表示欄Ａ〜Ｆの番組表示領域Ａ３〜Ｆ３は、例えば番組表示領域Ｂ３に点線７３で区分けして示すように、その時間軸方向に沿って、分表示アイコン７１の表示される列７４と、番組のタイトル等の文字が記述される列７５とに分割されている。
【００６３】
要するに、全ての番組表示領域Ａ３〜Ｆ３内において、分表示アイコン７１の表示されている列内には、文字が記述されない表示形態となっている。このような表示形態をとることにより、番組を時間帯毎に区切るための枠線がない状態でも、ユーザにとって見易い番組表示を可能とすることができる。
【００６４】
また、番組表示領域Ｂ３内の分表示アイコン７１の表示される列７４には、分表示アイコン７１の幅とほぼ等しい長さを有するバー（マーク）７６が表示されている。このバー７６は、例えば１分以内等の短時間番組が存在することを示している。
【００６５】
このように、短時間番組の存在をバー７６によって表示することにより、短時間番組のタイトルを文字によって表示するスペースを削減し、効率的な番組表示を可能とすることができる。すなわち、１分以内の短時間番組のタイトルまでも表示すると、その分、時間軸方向、つまり、番組表示領域Ｂ３の垂直方向にスペースを必要とするため、垂直方向に５時間分の時間枠を設定することができなくなる。
【００６６】
この電子番組表では、短時間番組をバー７６によって存在のみを示すことにより、垂直方向の時間枠を長くとって、時間的に広範囲な番組表をユーザに提供することを可能としている。この場合、バー７６の色は固定である。また、複数の短時間番組が連続する場合にも、１本のバー７６で表示するようにしている。
【００６７】
ここで、電子番組表の左右に設けられた時間領域Ｈ１〜Ｈ５は、それぞれ、対応付けられた時間帯に応じて、その背景色が異なるように設定されている。例えば、時間領域Ｈ１〜Ｈ５が、それぞれ、午前９時〜午後１時に対応し第１〜第５の背景色で表示されている状態で、現在時刻が午前１０時になると、時間領域Ｈ１〜Ｈ５が、それぞれ、午前１０時〜午後２時に対応し第２〜第６の背景色で表示されるようにシフトされる。
【００６８】
そして、一番上の時間領域Ｈ１の背景色と同じ色に、全ての番組表示領域Ａ３〜Ｆ３の背景色が決定される。このため、１時間毎に番組表示領域Ａ３〜Ｆ３の背景色が変わることになる。この場合、時間帯毎に、その時間帯に相応しい背景色を設定すると、ユーザにとって見易い番組表を表示させることが可能となる。ただし、現在選択している番組については、図４にハッチングで囲んで示すその番組の表示領域が、番組表示領域Ａ３〜Ｆ３の背景色と色を変えて表示されている。
【００６９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７０】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置によって表示される電子番組表の一例を説明するために示す図。
【図５】同実施の形態におけるデジタルテレビジョン放送受信装置によって表示されるクイックメニューの一例を説明するために示す図。
【図６】同実施の形態におけるデジタルテレビジョン放送受信装置によって表示されるジャンル色分け設定画面の一例を説明するために示す図。
【図７】同実施の形態におけるデジタルテレビジョン放送受信装置によって表示されるジャンル変更画面の一例を説明するために示す図。
【符号の説明】
【００７１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ、６８…ＥＰＧ情報取得部、６９…番組表作成部、７０…枠線、７１…分表示アイコン、７２…クイックメニュー、７３…点線、７４，７５…列、７６…バー。
【図１】
2006050011.tif 000003
【図２】
2006050011.tif 000004
【図３】
2006050011.tif 000005
【図４】
2006050011.tif 000006
【図５】
2006050011.tif 000007
【図６】
2006050011.tif 000008
【図７】
2006050011.tif 000009